(57)【特許請求の範囲】
【請求項１】
地図上にＰＯＩアイコンを表示するナビゲーションシステムであって、
ＰＯＩ情報と、音声データとを対応付けて記憶する記憶手段と、
地図上に表示されたＰＯＩアイコンが選択されると、該ＰＯＩアイコンのＰＯＩ情報に対応付けられた音声データを再生する再生手段と、
新規の音声データを録音する録音手段と、
選択された前記ＰＯＩアイコンのＰＯＩ情報と、前記新規の音声データとを対応付けて前記記憶手段に記憶させる投稿手段と、
を有することを特徴とするナビゲーションシステム。
【請求項２】
地図上にＰＯＩアイコンを表示するナビゲーションシステムであって、
ＰＯＩ情報と、動画データとを対応付けて記憶する記憶手段と、
地図上に表示されたＰＯＩアイコンが選択されると、該ＰＯＩアイコンのＰＯＩ情報に対応付けられた前記動画データを再生する再生手段と、
新規の動画データを録画する録画手段と、
選択された前記ＰＯＩアイコンのＰＯＩ情報と、前記新規の動画データとを対応付けて前記記憶手段に記憶させる投稿手段と、
を有することを特徴とするナビゲーションシステム。
【請求項３】
前記投稿手段は、
前記再生の終了後、問いかけ音声に対応するユーザ音声を取得し、該ユーザ音声の解析に基づいて評価値を算出し、選択された前記ＰＯＩアイコンのＰＯＩ情報と、前記評価値とを対応付けて前記記憶手段に記憶させること、
を特徴とする請求項１又は２記載のナビゲーションシステム。
【請求項４】
目的地への経路探索を実行するナビゲーション手段を有し、
前記ナビゲーション手段は、
前記再生の終了後、選択された前記ＰＯＩアイコンが所定操作されると、該ＰＯＩアイコンへの探索経路を実行すること、
を特徴とする請求項１ないし３何れか一項記載のナビゲーションシステム。
【請求項５】
コンピュータを、
請求項１ないし４何れか一項に記載のナビゲーションシステムとして機能させるためのナビゲーションプログラム。
【発明の詳細な説明】
【技術分野】
【０００１】
本発明は、ナビゲーションシステム及びナビゲーションプログラムに関する。
【背景技術】
【０００２】
従来より、地図上や探索ルート上、所望の店舗等（飲食店、コンビニ、ガソリンスタンド、観光地等）など、いわゆるＰＯＩ（Ｐｏｉｎｔ  ｏｆ  Ｉｎｔｅｒｅｓｔ）が見やすく表示されるナビゲーションシステムが知られている。
【０００３】
これに関する技術として、例えば、特許文献１には、基本地図情報の地図上に、広告宣伝する特定施設の所在地を確定し、基本地図上の所在位置に特定施設のロゴマークや称号等を強調した色調表示部を断続的に繰り返し変化して強調表示、またはメロディ等の聴覚的な手段で強調案内可能としたことを特徴とするカーナビゲーション端末自動広告宣伝システムが記載されている。
【先行技術文献】
【特許文献】
【０００４】
【特許文献１】特開２００１−０９１２７３号公報
【発明の概要】
【発明が解決しようとする課題】
【０００５】
しかしながら、特許文献１記載の発明は、地図上や探索ルート上の店舗等が強調表示されるにすぎず、具体的にどのような商品を取り扱っているのかや美味しいお店かどうかなどといった評判までは把握できない。このため、ユーザは実際に店舗等に入店するなどして実際に自ら確かめる必要があった。
【０００６】
本発明は、上記の点に鑑み提案されたものであり、一つの側面では、ナビゲーションシステムにおいて、地図上のＰＯＩに関する詳細情報を容易に把握可能とすることを目的とする。
【課題を解決するための手段】
【０００７】
上記の課題を解決するため、本発明に係るナビゲーションシステムは、地図上にＰＯＩアイコンを表示するナビゲーションシステムであって、ＰＯＩ情報と、音声データとを対応付けて記憶する記憶手段と、地図上に表示されたＰＯＩアイコンが選択されると、該ＰＯＩアイコンのＰＯＩ情報に対応付けられた音声データを再生する再生手段と、新規の音声データを録音する録音手段と、選択された前記ＰＯＩアイコンのＰＯＩ情報と、前記新規の音声データとを対応付けて前記記憶手段に記憶させる投稿手段と、を有する。
【０００８】
また、上記の課題を解決するため、本発明に係るナビゲーションシステムは、地図上にＰＯＩアイコンを表示するナビゲーションシステムであって、ＰＯＩ情報と、動画データとを対応付けて記憶する記憶手段と、地図上に表示されたＰＯＩアイコンが選択されると、該ＰＯＩアイコンのＰＯＩ情報に対応付けられた前記動画データを再生する再生手段と、新規の動画データを録画する録画手段と、選択された前記ＰＯＩアイコンのＰＯＩ情報と、前記新規の動画データとを対応付けて前記記憶手段に記憶させる投稿手段と、を有する。
【発明の効果】
【０００９】
本発明の実施の形態によれば、ナビゲーションシステムにおいて、地図上のＰＯＩに関する詳細情報を容易に把握可能とすることができる。
【図面の簡単な説明】
【００１０】
【図１】本実施形態に係るナビゲーションシステムの構成例を示す図である。
【図２】本実施形態に係るナビ端末の一例を示す図である。
【図３】本実施形態に係るナビサーバ及びナビ端末のハードウェア構成例を示す図である。
【図４】本実施形態に係るナビサーバ及びナビ端末のソフトウェア構成例を示す図である。
【図５】本実施形態に係るＰＯＩ情報ＤＢのデータ例を示す図である。
【図６】本実施形態に係るＰＯＩ情報の新規登録画面例を示す図である。
【図７】本実施形態に係るスマートフォンの利用画面例１を示す図である。
【図８】本実施形態に係るスマートフォンの利用画面例２を示す図である。
【図９】本実施形態に係るスマートフォンの利用画面例３を示す図である。
【図１０】本実施形態に係るスマートフォンの利用画面例４を示す図である。
【図１１】本実施形態に係るスマートフォンの利用画面例５を示す図である。
【図１２】本実施形態に係るスマートフォンの利用画面例６を示す図である。
【図１３】本実施形態に係るスマートフォンの利用画面例７を示す図である。
【図１４】本実施形態に係る音声データや動画データの再生処理を示すフローチャート図である。
【図１５】本実施形態に係る音声データや動画データの投稿処理を示すフローチャート図である。
【発明を実施するための形態】
【００１１】
本発明の実施の形態について、図面を参照しつつ詳細に説明する。
【００１２】
＜システム構成＞
図１は、本実施形態に係るナビゲーションシステムの構成例を示す図である。図１のナビゲーションシステム１００は、ナビゲーションサーバ（以下、ナビサーバという）１０と、ナビゲーション端末（以下、ナビ端末という）２０と、一般端末３０とがネットワーク４０を介して接続されている。
【００１３】
ナビサーバ１０は、ナビ端末２０や一般端末３０からの要求に応じて地図情報を提供する情報処理装置である。また、ナビサーバ１０は、地図上にある様々な施設（例えば、レストラン、コンビニ、デパート、ホテル、ガソリンスタンド、観光施設等々）のＰＯＩ情報を有しており、地図上にＰＯＩアイコンを表示する。
【００１４】
ナビ端末２０は、ユーザが利用する地図表示端末である。ナビ端末２０は、例えば、スマートフォンやタブレット端末、携帯電話、カーナビ（車載ナビゲーション端末）、ノート型ＰＣ（Personal Computer）、ゲーム機器、ウェアラブル端末などを含む各種の情報処理装置である。ナビ端末２０は、ナビサーバ１０と通信を行い、地図情報や経路情報などを表示するナビゲーション・アプリケーション（以下ナビアプリという）やウェブブラウザを有する。ユーザはナビ端末２０のナビアプリ等を操作して、ナビサーバ１０から受信した地図情報を表示する。また、ユーザが出発地（又は現在地）や目的地などのルート検索条件を入力しナビサーバ１０に送信すると、ナビ端末２０は、ナビサーバ１０から受信した経路情報を表示させる。
【００１５】
一般端末３０は、オーナー等が地図上のＰＯＩに対して詳細情報を登録する際に用いられるＰＣ端末である。
【００１６】
ネットワーク４０は、有線、無線を含む通信ネットワークである。ネットワーク４０は、例えば、公衆回線網、インターネット、ＷｉＦｉ（登録商標）などを含む。
【００１７】
図２は、本実施形態に係るナビ端末の一例を示す図である。ナビ端末２０の一例として、（Ａ）スマートフォン２０ａと、（Ｂ）カーナビ２０ｂを示す。
【００１８】
スマートフォン２０ａは、タッチパネル式の表示画面（ディスプレイ）２０ａ−１、音声を出力するためのスピーカ２０ａ−２、音声を入力するためのマイク２０ａ−３、画像又は映像を撮像するためのカメラ２０ａ−４を有する。スマートフォン２０ａは、同等機能を備えるタブレット端末としてもよい。
【００１９】
カーナビ２０ｂは、タッチパネル式の表示画面（ディスプレイ）２０ｂ−１、音声を出力するためのスピーカ２０ｂ−２、音声を入力するためのマイク２０ｂ−３、画像又は映像を撮像するためのカメラ２０ｂ−４を有する。なお、カメラ２０ｂ−４は進行前方を撮像するいわゆる車載カメラである。
【００２０】
＜ハードウェア構成＞
図３は、本実施形態に係るナビサーバ及びナビ端末のハードウェア構成例を示す図である。図３に示されるように、ナビサーバ１０は、ＣＰＵ（Central Processing Unit）１１、ＲＯＭ（Read Only Memory）１２、ＲＡＭ（Random Access Memory）１３、ＨＤＤ（Hard Disk Drive）１４、通信装置１５を有する。
【００２１】
また、ナビ端末２０は、ＣＰＵ１１、ＲＯＭ１２、ＲＡＭ１３、ＨＤＤ１４、通信装置１５、入力装置２１、表示装置２２、音声入出力装置２３、ＧＰＳ（Global Positioning System）受信装置２４、録音録画装置２５を有する。
【００２２】
ナビサーバ１０及びナビ端末２０のＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする作業エリアである。ＨＤＤ１４は、各種データ及びプログラムを格納する。通信装置１５は、ネットワーク４０を介して他装置との通信を行う。
【００２３】
また、ナビ端末２０の入力装置２１は、例えばキーボードやマウスなどの各種入力装置である。表示装置２２は、ディスプレイなどであり、地図やＰＯＩ等が表示される。音声入出力装置２３は、例えばマイクやスピーカなどから構成される、音声の入出力を行う装置である。ＧＰＳ受信装置２４は、ナビ端末２０の現在位置する位置情報をＧＰＳ衛星より受信する。
【００２４】
録音録画装置２５は、マイクやカメラから入力された音声を録音し、映像を録画する。
【００２５】
なお、ナビ端末２０は、例えばスマートフォン２０ａやカーナビ２０ｂでもあるため、入力装置２１は、キーボードやマウスに代え、画面上のタップ座標（タッチ座標）を検知可能なタッチパネルにより実現されうる。またこの場合、入力操作は、画面上のタッチパネルと、プログラムにより制御されるソフトウェアキー等とにより実現される。
【００２６】
＜ソフトウェア構成＞
図４は、本実施形態に係るナビサーバ及びナビ端末のソフトウェア構成例を示す図である。
【００２７】
まずナビサーバ１０は、主な機能部として、ナビゲーション部１０１、再生受付部１０２、投稿登録部１０３、記憶部１０４を有する。
【００２８】
ナビゲーション部１０１は、ユーザ入力に応じて経路探索を行ったり、地図の表示、ＰＯＩの配置・表示など、ナビゲーションに関する一切の処理を実行する。ナビゲーション処理を実行するにあたり、必要な情報は、記憶部１０４の地図ＤＢ１０４ａやＰＯＩ情報ＤＢ１０４ｂが適宜用いられる。
【００２９】
再生受付部１０２は、ナビ端末２０から、音声データや動画データ等の「登録データ」の取得要求を受信すると、ＰＯＩ情報ＤＢ１０４ｂを参照し、該当する「登録データ」を送信（応答）する。
【００３０】
投稿登録部１０３は、ナビ端末２０から、音声データや動画データ等の「投稿データ」が投稿されると、記憶部１０４のＰＯＩ情報ＤＢ１０４ｂに「投稿データ」を登録する。
【００３１】
記憶部１０４は、地図ＤＢ１０４ａやＰＯＩ情報ＤＢ１０４ｂなど、ナビゲーション処理に用いられる各種データを記憶する。地図ＤＢ１０４ａは、ナビゲーションに用いられる地図情報が格納されている。地図情報は、例えば、表示画面上に表示される地図（マップ）、道路、標識、自然地理、及びこれらを地図上に表示するための表示部品（ＰＯＩアイコン）、ルート検索のための情報等がある。ＰＯＩ情報ＤＢ１０４ｂは、地図上に存在するＰＯＩに関する詳細な情報（ＰＯＩ情報という）が格納されている。詳細は後述する。
【００３２】
次いでナビ端末２０は、主な機能部として、表示部２０１、入力受付部２０２、位置取得部２０３、音声入出力部２０４、再生部２０５、録音録画部２０６、投稿部２０７、記憶部２０８を有する。
【００３３】
表示部２０１は、表示画面上、地図、探索経路、地図内の表示部品（ＰＯＩアイコン等）などを表示する。これら表示に要するデータはナビサーバ１０側で保持されており、ナビサーバ１０から受信して表示する。但し、基本地図や表示部品など、一部の情報を予めナビ端末２０側で保持してもよい。
【００３４】
入力受付部２０２は、表示画面上のタップ座標（タッチ座標）を検知可能なタッチパネル等により、ユーザからの入力・操作を受け付ける。
【００３５】
位置取得部２０３は、ナビ端末２０の現在位置する位置情報を、ＧＰＳ衛星より受信したり測位するなどして、位置情報を取得する。
【００３６】
音声入出力部２０４は、例えばマイクやスピーカなどを介して、音声の入出力を行う。
【００３７】
再生部２０５は、音声データや動画データを再生する。例えば、地図上に表示されたＰＯＩアイコンが選択されると、ナビサーバ１０に対して選択されたＰＯＩアイコンに対応付けられた音声データや動画データの取得要求を行い、取得した音声データや動画データを再生する。
【００３８】
録音録画部２０６は、マイクから入力された音声を音声データとして録音し、カメラから入力された画像や映像を画像データや動画データとして撮像し録画する。
【００３９】
投稿部２０７は、ナビサーバ１０に対して、ＰＯＩに関する投稿データを投稿する。投稿データは、録音録画部２０６により録音された音声データや、録画撮影された動画データである。また、投稿データは外部から取得したものを投稿してもよい。
【００４０】
記憶部２０８は、録音された音声データや録画撮影された動画データなどを記憶（保存）する。
【００４１】
なお、機能部は、ナビサーバ１０及びナビ端末２０を構成するコンピュータのＣＰＵ、ＲＯＭ、ＲＡＭ等のハードウェア資源上で実行されるコンピュータプログラムによって実現されるものである。これらの機能部は、「手段」、「モジュール」、「ユニット」、又は「回路」に読替えてもよい。
【００４２】
（ＰＯＩ情報ＤＢ）
図５は、本実施形態に係るＰＯＩ情報ＤＢのデータ例を示す図である。図５に示されるＰＯＩ情報ＤＢ１０４ｂは、ＰＯＩに関する情報が格納されるＤＢであって、例えば、「ＩＤ」、「位置座標」、「ＰＯＩ名称」、「ＰＯＩジャンル」、「登録データ」、「登録日時」、「評価」などのデータ項目を有する。
【００４３】
「ＩＤ」は、ＰＯＩ毎に付番される固有の識別子を示す。「位置座標」は、ＰＯＩが位置する座標情報を示す。「ＰＯＩ名称」は、ＰＯＩの名称を示す。「ＰＯＩジャンル」は、ＰＯＩが分類・区分されるジャンルを示す。「登録データ」は、ＰＯＩを紹介するための音声データや動画データを示す。ＰＯＩのオーナーやシステム管理者等により初期登録される。「登録日時」は、「登録データ」の登録日時を示す。「評価」は、ＰＯＩに対するユーザの評価値を示す。ユーザ評価値は複数登録されるが、ここではその平均値であるものとする。
【００４４】
また本実施形態においては、各々ＰＯＩに対してユーザからＰＯＩを紹介するための音声データや動画データの追加投稿が可能となっている。このため、ＰＯＩ情報ＤＢ１０４ｂは、ＰＯＩ毎に対応付けて、「投稿データＮｏ」、「投稿データ」、「投稿ユーザＩＤ」、「公開範囲」などのデータ項目を更に有する。
【００４５】
「投稿データＮｏ」は、ユーザにより投稿された音声データや動画データ毎に付番される固有の番号を示す。「投稿データ」は、ユーザにより投稿された音声データや動画データを示す。「投稿ユーザＩＤ」は、「投稿データ」を投稿したユーザの有するユーザＩＤを示す。データを投稿するにあたり予めユーザ登録がなされる。「公開範囲」は、「投稿データ」の公開範囲を示す。０は非公開、１は公開、２は限定公開（友人限定公開）を示す。
【００４６】
なお、音声データのフォーマットは、図５内の拡張子ｍｐ３に限定されるものではなく、例えば、ＷＡＶ、ＡＡＣ、ＷＭＡなど、音声データファイルであればよい。また、動画データのフォーマットは、図５内の拡張子ｍｐｇに限定されるものではなく、例えば、ＡＶＩ、ＭＯＶ、ＡＳＦなど、動画データファイルであればよい。
【００４７】
＜利用例＞
（ＰＯＩ情報の新規登録）
図６は、本実施形態に係るＰＯＩ情報の新規登録画面例を示す図である。
【００４８】
地図上にＰＯＩが存在する場合、例えばオーナー等がそのＰＯＩに対して詳細な情報を初期登録することができる。オーナー等は、一般端末３０からナビサーバ１０の新規登録画面にアクセスし、「ＩＤ」、「位置座標」、「ＰＯＩ名称」、「ＰＯＩジャンル」、「登録データ」などのデータを入力し登録する。これにより、ＰＯＩ情報ＤＢ１０４ｂにおいて、対応するデータが入力される（図５参照）。
【００４９】
（ナビ端末の利用画面）
図７は、本実施形態に係るスマートフォンの利用画面例１を示す図である。言うまでもなく、当該利用画面例は、カーナビにも同様に適用しうる（図２）。
【００５０】
図７に示されるように、一般のユーザが利用するスマートフォン２０ａは、タッチパネル式の表示画面（ディスプレイ）２０ａ−１を有し、表示画面上には、地図上の道路、現在地アイコン、目的地への到達経路を示す探索経路等と共に、地図上にＰＯＩがあることを示すためのＰＯＩアイコンＡ及びＰＯＩアイコンＢが表示されている。
【００５１】
ＰＯＩアイコンＡには、音声マークが描かれており、ユーザがタッチ操作することで、ＰＯＩ情報としての音声コンテンツ（音声データ）が自動再生される。また、ＰＯＩアイコンＢは、動画マークが描かれており、ユーザがタッチ操作することで、ＰＯＩ情報としての動画コンテンツ（動画データ）が自動再生される。
【００５２】
なお、表示画面左上において、「Ｌｏｇｉｎ：Ｔａｋｅｓｈｉ」と表示されているように、ユーザ名「Ｔａｋｅｓｈｉ」なるユーザによりログイン中となっている。また、ＰＯＩアイコンＡ及びＰＯＩアイコンＢの近傍には、ＰＯＩに対するユーザ評価を示す評価マークが付されている
【００５３】
図８は、本実施形態に係るスマートフォンの利用画面例２を示す図である。
【００５４】
例えば、図８に示されるように、ユーザがＰＯＩアイコンＡをタッチ操作すると、ＰＯＩ情報としての音声コンテンツ（音声データ）が自動再生される。具体的に、スピーカ２０ａ−２から、「いらっしゃいませ。「レストランＡ」へようこそ。当店へは、○○交差点角の白い看板が目印です。今当店のＮｏ人気メニューは、○○・・・」といった当ＰＯＩを紹介するための音声が出力される。これにより、ユーザはＰＯＩアイコンＡをタッチ操作するだけで、手が離せなくとも（例えば、運転中など）ＰＯＩアイコンＡのＰＯＩ情報を音声により容易且つ詳細に把握することができる。
【００５５】
図９は、本実施形態に係るスマートフォンの利用画面例３を示す図である。
【００５６】
例えば、図９に示されるように、ユーザがＰＯＩアイコンＢをタッチ操作すると、ＰＯＩ情報としての動画コンテンツ（動画データ）が自動再生される。具体的に、表示画面２０ａ−１には、当ＰＯＩを紹介するための動画が表示され、スピーカ２０ａ−２から、「「○○城遺跡」へようこそ・・・」といった音声も共に出力される。これにより、ユーザはＰＯＩアイコンＢをタッチ操作するだけで、手が離せなくとも（例えば、運転中など）ＰＯＩアイコンＡのＰＯＩ情報を動画により容易且つ詳細に把握することができる。
【００５７】
なお、図８、９において再生される音声コンテンツ（音声データ）及び動画コンテンツ（動画データ）は、ＰＯＩ情報ＤＢ１０４ｂの「登録データ」がナビサーバ１０から取得されてナビ端末２０上で再生されるものである。
【００５８】
図１０は、本実施形態に係るスマートフォンの利用画面例４を示す図である。
【００５９】
次いで、ＰＯＩの音声又は動画コンテンツが終了すると（図８、９参照）、ユーザの評価を取得するための音声アンケートが実施される。具体的に、スピーカ２０ａ−２から、問いかけ音声として、「このお店に、是非入ってみたいとお思いになりましたか？」といった音声が出力されるので、ユーザはこれに回答すべく、マイク２０ａ−３を介して「はい」、「いいえ」などのユーザ音声を入力する。ユーザ音声は投稿登録部１０３により解析後集計され、ＰＯＩ情報ＤＢ１０４ｂの「評価」に反映されるとともに（図５参照）、ＰＯＩアイコンの近傍の評価マークとして表示される（図７参照）。なお、問いかけ音声は様々な内容を用意することができるし、口コミ的に詳細な評価ができるように複数のアンケート内容を用意してもよい。
【００６０】
このように音声コンテンツ（音声データ）や動画コンテンツ（動画データ）に対して、「評価」の情報を音声入力できるので、これを集計することで、各々のＰＯＩに対するユーザ評価という情報を得ることが可能である。
【００６１】
図１１は、本実施形態に係るスマートフォンの利用画面例５を示す図である。
【００６２】
ＰＯＩを紹介するための音声又は動画コンテンツが終了しても、投稿された他の音声又は動画コンテンツ（音声データや動画データ）が存在する場合、続けてこれらを再生することができる。また、再生が終了すると、再びユーザの評価値を取得するための音声アンケートが実施されうる。
【００６３】
一方、ユーザはこのＰＯＩに対して、自分で自ら録音した音声データや撮影した動画データを追加投稿することも可能である。ＰＯＩを紹介するための音声又は動画コンテンツを聞き終えたユーザが依然不足すると思う情報や知っている情報等を、新規の音声データや動画データとして投稿することで、地図上の情報を一層充実させる。また、自然施設などの場合、同じ地点であっても夕日がきれいな時間、霧が深いとき、大雪の景色等、時期や時刻によって全く違う景色になる。複数の動画データを投稿できるようにすることで、決して１つの動画のみでは伝達しきれない刻々と変化する様子も伝達できる。
【００６４】
具体的に、スピーカ２０ａ−２から、「このお店には投稿があります。続けてお聞きになる場合には「続ける」をタッチして下さい。また、新規の音声を投稿するには「音声投稿」を、新規の動画を投稿するには「動画投稿」をタッチして下さい。」といった音声が出力される。ユーザは指示に従って「続ける」、「音声投稿」、「動画投稿」又は「終了」を選択する。
【００６５】
図１２は、本実施形態に係るスマートフォンの利用画面例６を示す図である。
【００６６】
「続ける」がタッチされると、図１２（Ａ）に示す投稿一覧画面へ進む。ＰＯＩ情報ＤＢ１０４ｂに投稿データが複数ある場合には順次再生される。また、ユーザのタッチ操作により、任意の投稿データを選択することも可能である。終了する場合、「完了」をタッチする。
【００６７】
一方、「音声投稿」がタッチされると、図１２（Ｂ）に示す音声投稿中画面へ進む。ユーザはマイク２０ａ−３を介して音声データを投稿する。例えば、「お店の雰囲気ですが、子供スペースがあり、さえぎられているので、ファミリーにもお勧めなお店です・・」と音声入力する。終了後、「完了」をタッチする。
【００６８】
また一方、「動画投稿」がタッチされると、図１２（Ｃ）に示す動画投稿中画面へ進む。ユーザは、「撮影する」をタッチし、カメラ２０ａ−４を有効化して、リアルタイムに映像を撮影しそのまま動画データとして投稿する。もしくは、既に撮影済みの動画データが存在する場合、「アップロード」をタッチし、ファイルを選択の上投稿する。終了後、「完了」をタッチする。投稿された音声データ及び動画データの公開範囲は、予め投稿ユーザが設定している「公開範囲」の値に従う。
【００６９】
なお、ＰＯＩのオーナー等は、「投稿データ」の投稿を促進させるため、「投稿データ」を投稿してくれたユーザに対して、電子クーポン券や電子優待券を配布するようにするとよい。この場合、ナビサーバ１０は、オーナー等の操作に応じて、ユーザＤＢ（非図示）等を参照し、「投稿データ」を投稿してくれた「投稿ユーザＩＤ」で特定されるユーザのメールアドレスに電子クーポン券や電子優待券を送信する。
【００７０】
図１３は、本実施形態に係るスマートフォンの利用画面例７を示す図である。
【００７１】
ここで、ユーザが表示画面上のＰＯＩアイコンＢの動画コンテンツ（動画データ）を視聴した結果、「○○城遺跡」に興味を持ち、是非立ち寄ってみたいと考える。この場合、ユーザは音声コンテンツの再生操作（上記タッチ操作）とは異なる所定操作（例えば、ダブルタッチ等）をＰＯＩアイコンＢに対して行うことで、ナビゲーション部１０１によりＰＯＩアイコンＢを経由地とする探索経路が再探索されて、表示される。
【００７２】
図１３と図７を比較すると、当初の探索経路が変更され、目的地迄の経路上、ＰＯＩアイコンＢに立ち寄れるように探索経路が表示されている。このように、ユーザがＰＯＩアイコンの音声又は動画データを視聴した結果、偶然地図上に見つけたＰＯＩの詳細に触れ興味を持った場合にも、簡単な操作により当初予定の経路を変更し、当該ＰＯＩに立ち寄ることで、今まで知らなかった新たなＰＯＩと出会い、また新たな魅力を発見することができる。
【００７３】
なお、当初に探索経路を行っていなかった場合には、ユーザが所定操作をＰＯＩアイコンＢに対して行えば、ナビゲーション部１０１によりＰＯＩアイコンＢを目的地とする探索経路が探索される。
【００７４】
＜情報処理＞
図１４は、本実施形態に係る音声データや動画データの再生処理を示すフローチャート図である。
【００７５】
Ｓ５１：ナビサーバ１０の再生受付部１０２は、ナビ端末２０の再生部２０５から、登録データの取得要求（再生要求）を受信したか否かを判定する。登録データとは、オーナー等により初期登録された音声データや動画データである。登録データの取得要求には、要求を行ったユーザのユーザＩＤ及びタッチされたＰＯＩの「ＩＤ」がパラメータとして含まれる。また、登録データの取得要求は、例えば、ユーザが地図上のＰＯＩアイコンをタッチ操作することで、ナビ端末２０からナビサーバ１０に対して送信される（図８参照）。
【００７６】
Ｓ５２：再生受付部１０２は、登録データの取得要求を受信した場合、ＰＯＩ情報ＤＢ１０４ｂを参照し、「ＩＤ」に対応付けられている「登録データ」を取得し送信（応答）する。これにより、ナビ端末２０の表示画面上、「登録データ」が再生される（図８、９参照）。
【００７７】
Ｓ５３：次いで再生受付部１０２は、ナビ端末２０の再生部２０５から、投稿データの取得要求（再生要求）を受信したか否かを判定する。投稿データとは、オーナー等以外の一般ユーザにより追加登録された音声データや動画データである。投稿データの取得要求には、要求を行ったユーザのユーザＩＤ、タッチされたＰＯＩの「ＩＤ」がパラメータとして含まれる。投稿データの取得要求は、例えば、ユーザが「続ける」をタッチ操作することで、ナビ端末２０からナビサーバ１０に対して送信される（図１０参照）。
【００７８】
Ｓ５４：再生受付部１０２は、投稿データの取得要求を受信した場合、ＰＯＩ情報ＤＢＤＢ１０４ｂを参照し、「ＩＤ」に対応する「投稿データ」、「投稿ユーザＩＤ」及び「公開範囲」を取得する。
【００７９】
Ｓ５５：再生受付部１０２は、Ｓ５４で取得した「公開範囲」に基づいて、取得した「投稿データ」が当該投稿データの取得要求を行ったユーザに公開されているか否かを判定する。具体的な判定処理方法は、例えば以下の通りである。
「公開範囲」が０（非公開）の場合、取得した「投稿データ」が当該投稿データの取得要求を行ったユーザに公開されていないと判定する。
「公開範囲」が１（公開）の場合、取得した「投稿データ」が当該投稿データの取得要求を行ったユーザに公開されていると判定する。
「公開範囲」が２（限定公開）の場合、ユーザＤＢ（非図示）等を参照し、「投稿ユーザＩＤ」で特定されるユーザが、Ｓ５３で取得したユーザＩＤで特定されるユーザを友人と設定しているか否かを判定する。友人と設定している場合、取得した「投稿データ」が当該投稿データの取得要求を行ったユーザに公開されていると判定する。友人の情報は他のＳＮＳと連携し取得されてもよい。
【００８０】
Ｓ５６：再生受付部１０２は、公開されている場合、Ｓ５４で取得した当該「投稿データ」を取得し送信（応答）する。
【００８１】
図１５は、本実施形態に係る音声データや動画データの投稿処理を示すフローチャート図である。
【００８２】
Ｓ６１：ナビサーバ１０の投稿登録部１０３は、ナビ端末２０の投稿部２０７から、投稿データの投稿要求を受信したか否かを判定する。投稿データの投稿要求には、要求を行ったユーザのユーザＩＤ、ＰＯＩの「ＩＤ」、及び投稿データ（音声データや動画データ）がパラメータとして含まれる。
【００８３】
Ｓ６２：投稿登録部１０３は、投稿データの投稿要求を受信した場合ユーザＤＢ（非図示）等を参照し、Ｓ６１で取得したユーザＩＤに基づいて当該ユーザが設定した「公開範囲」の値を取得する。「公開範囲」の値は、上述したように０、１、又は２がある。
【００８４】
上述したように、投稿ユーザがログイン中の場合、投稿登録部１０３はそのユーザＩＤを取得し、ユーザＤＢ（非図示）等から予め当該ユーザが設定している「公開範囲」の値を取得できる。「公開範囲」は、「投稿データ」の公開範囲を示し、ユーザは自分が投稿したデータに対するデフォルトの「公開範囲」として、０（非公開）、１（公開）、２（限定公開）の何れかを設定することで、不特定多数のユーザや友人等のごく限られたユーザなど、その公開範囲を自由に決めることができる。また一旦非公開としておき、後日あらためて公開することも可能である。勿論、投稿データ単位で「公開範囲」を任意設定できるようにしてもよい。
【００８５】
Ｓ６３：投稿登録部１０３は、投稿された投稿データを、ＰＯＩ情報ＤＢ１０４ｂの「投稿データ」に登録する。これにより、当該ＰＯＩに対応付けて、「投稿データＮｏ」（自動付番）、「投稿データ」、「投稿ユーザＩＤ」、「公開範囲」のデータ項目にデータが記憶される。
【００８６】
＜総括＞
以上のように、本実施形態に係るナビゲーションシステム１００によれば、ユーザはナビ端末の表示画面上、ＰＯＩアイコンをタッチするだけで、手が離せなくとも（例えば、運転中など）、音声又は動画データを再生できるので、近傍のお店や施設について詳細な情報を容易に得ることが可能となる。また、不足する情報などを感じた場合、ユーザ自らが音声又は動画データやユーザ評価を補完的に投稿することも可能である。これにより近傍のお店や施設について詳細な情報を一層充実させることができる。即ち、本発明の実施形態によれば、地図上のＰＯＩに関する詳細情報を容易に把握可能となる。
本発明の好適な実施の形態により、特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【００８７】
１０          ナビゲーションサーバ
２０          ナビゲーション端末
１００        ナビゲーションシステム
１０２        再生受付部
１０３        投稿登録部
１０４        記憶部
２０５        再生部
２０６        録音録画部
２０７        投稿部
【要約】
【課題】地図上のＰＯＩに関する詳細情報を容易に把握可能とする。
【解決手段】本発明に係るナビゲーションシステムは、地図上にＰＯＩアイコンを表示するナビゲーションシステムであって、ＰＯＩ情報と、音声データとを対応付けて記憶する記憶手段と、地図上に表示されたＰＯＩアイコンが選択されると、該ＰＯＩアイコンのＰＯＩ情報に対応付けられた音声データを再生する再生手段と、新規の音声データを録音する録音手段と、選択されたＰＯＩアイコンのＰＯＩ情報と、新規の音声データとを対応付けて記憶手段に記憶させる投稿手段と、を有する。
【選択図】図８【図１】
0006012061.tif 000002
【図２】
0006012061.tif 000003
【図３】
0006012061.tif 000004
【図４】
0006012061.tif 000005
【図５】
0006012061.tif 000006
【図６】
0006012061.tif 000007
【図７】
0006012061.tif 000008
【図８】
0006012061.tif 000009
【図９】
0006012061.tif 000010
【図１０】
0006012061.tif 000011
【図１１】
0006012061.tif 000012
【図１２】
0006012061.tif 000013
【図１３】
0006012061.tif 000014
【図１４】
0006012061.tif 000015
【図１５】
0006012061.tif 000016